【手続補正書】
【提出日】平成15年10月29日(2003.10.29)
【手続補正１】
【補正対象書類名】明細書
【補正対象項目名】特許請求の範囲
【補正方法】変更
【補正の内容】
【特許請求の範囲】
【請求項１】
開口を有する第１のハウジングと、
前記第１のハウジングに設けられた対物レンズ及び前記第１のハウジングに設けられ、前記対物レンズを経て入射された光束に基づき、第１の双眼光束を形成する一対のリレーレンズとを含む対物光学系と、
前記第１のハウジングに設けられ、前記第１の双眼光束が入射されることにより、第１の双眼用の光学像を形成する第１の双眼接眼光学系と、
前記第１のハウジングに設けられ、前記一対のリレーレンズにより形成される前記第１の双眼光束を分割して、少なくとも前記開口から射出可能とする第２の双眼光束を含む複数の分割光束形成する分割光学系と、
前記第１のハウジングに設けられ、前記対物光学系の入射瞳と略共役な瞳位置に配置され、前記瞳位置で光束を分割するように前記複数の分割光束の少なくとも１つの光束を分割して、第３の双眼光束を形成し、該第３の双眼光束を前記開口から射出可能とする瞳分割光学系と、
前記開口に取り付けられ、前記開口から射出される前記第２の双眼光束の進行方向に平行な軸に関して、少なくとも第１及び第２の回転角度に設定可能である第２のハウジングと、
前記第２のハウジングに設けられ、前記第２のハウジングが前記第１の回転角度に設定された場合には前記第２の双眼光束が入射されることにより、前記第２の双眼光束に基づく第２の双眼用の光学像を形成し、前記第２のハウジングが前記第２の回転角度に設定された場合には前記第３の双眼光束が入射されることにより、前記第３の双眼光束に基づく第２の双眼用の光学像を形成する第２の双眼接眼光学系と、
を備えたことを特徴とする手術用顕微鏡。
【請求項２】
被検体からの光束を集光する対物レンズ及び該対物レンズに対向して配置された一対のリレーレンズを含み、前記対物レンズに入射する光束に基づいて第１の双眼光束を生成する対物光学系と、
前記対物光学系の入射瞳と略共役な瞳位置に配置され、前記瞳位置で前記第１の双眼光束の少なくとも一方の光束を分割して、第２の双眼光束を生成する瞳分割光学系と、
前記第１の双眼光束又は前記第２の双眼光束に基づき、双眼観察用の光学像を生成する双眼接眼光学系と、
前記第１の双眼光束及び前記第２の双眼光束が前記双眼接眼光学系へ入射する位置で、前記第１の双眼光束及び前記第２の双眼光束の進行方向が前記対物レンズの光軸に対して平行で、かつ前記第１の双眼光束及び前記第２の双眼光束が略同一円周上に位置するように、前記対物光学系及び前記瞳分割光学系が配置されるハウジングと、
を備えたことを特徴とする手術用顕微鏡。
【手続補正２】
【補正対象書類名】明細書
【補正対象項目名】００１４
【補正方法】変更
【補正の内容】
【００１４】
【発明が解決しようとする課題】
前記目的を達成するために請求項１記載の発明は、開口を有する第１のハウジングと、
前記第１のハウジングに設けられた対物レンズ及び前記第１のハウジングに設けられ、前記対物レンズを経て入射された光束に基づき、第１の双眼光束を形成する一対のリレーレンズとを含む対物光学系と、
前記第１のハウジングに設けられ、前記第１の双眼光束が入射されることにより、第１の双眼用の光学像を形成する第１の双眼接眼光学系と、
前記第１のハウジングに設けられ、前記一対のリレーレンズにより形成される前記第１の双眼光束を分割して、少なくとも前記開口から射出可能とする第２の双眼光束を含む複数の分割光束形成する分割光学系と、
前記第１のハウジングに設けられ、前記対物光学系の入射瞳と略共役な瞳位置に配置され、前記瞳位置で光束を分割するように前記複数の分割光束の少なくとも１つの光束を分割して、第３の双眼光束を形成し、該第３の双眼光束を前記開口から射出可能とする瞳分割光学系と、
前記開口に取り付けられ、前記開口から射出される前記第２の双眼光束の進行方向に平行な軸に関して、少なくとも第１及び第２の回転角度に設定可能である第２のハウジングと、
前記第２のハウジングに設けられ、前記第２のハウジングが前記第１の回転角度に設定された場合には前記第２の双眼光束が入射されることにより、前記第２の双眼光束に基づく第２の双眼用の光学像を形成し、前記第２のハウジングが前記第２の回転角度に設定された場合には前記第３の双眼光束が入射されることにより、前記第３の双眼光束に基づく第２の双眼用の光学像を形成する第２の双眼接眼光学系と、
を備えて構成されることを特徴とする。
請求項２記載の発明は、被検体からの光束を集光する対物レンズ及び該対物レンズに対向して配置された一対のリレーレンズを含み、前記対物レンズに入射する光束に基づいて第１の双眼光束を生成する対物光学系と、
前記対物光学系の入射瞳と略共役な瞳位置に配置され、前記瞳位置で前記第１の双眼光束の少なくとも一方の光束を分割して、第２の双眼光束を生成する瞳分割光学系と、
前記第１の双眼光束又は前記第２の双眼光束に基づき、双眼観察用の光学像を生成する双眼接眼光学系と、
前記第１の双眼光束及び前記第２の双眼光束が前記双眼接眼光学系へ入射する位置で、前記第１の双眼光束及び前記第２の双眼光束の進行方向が前記対物レンズの光軸に対して平行で、かつ前記第１の双眼光束及び前記第２の双眼光束が略同一円周上に位置するように、前記対物光学系及び前記瞳分割光学系が配置されるハウジングと、
を備えて構成されることを特徴とする。
【手続補正３】
【補正対象書類名】明細書
【補正対象項目名】０１２３
【補正方法】変更
【補正の内容】
【０１２３】
［付記］
１．開口を有する第１のハウジングと、
前記第１のハウジングに設けられた対物レンズ及び前記第１のハウジングに設けられ、前記対物レンズを経て入射された光束に基づき、第１の双眼光束を形成する一対のリレーレンズとを含む対物光学系と、
前記第１のハウジングに設けられ、前記第１の双眼光束が入射されることにより、第１の双眼用の光学像を形成する第１の双眼接眼光学系と、
前記第１のハウジングに設けられ、前記一対のリレーレンズにより形成される前記第１の双眼光束を分割して、少なくとも前記開口から射出可能とする第２の双眼光束を含む複数の分割光束形成する分割光学系と、
前記第１のハウジングに設けられ、前記対物光学系の入射瞳と略共役な瞳位置に配置され、前記瞳位置で光束を分割するように前記複数の分割光束の少なくとも１つの光束を分割して、第３の双眼光束を形成し、該第３の双眼光束を前記開口から射出可能とする瞳分割光学系と、
前記開口に取り付けられ、前記開口から射出される前記第２の双眼光束の進行方向に平行な軸に関して、少なくとも第１及び第２の回転角度に設定可能である第２のハウジングと、
前記第２のハウジングに設けられ、前記第２のハウジングが前記第１の回転角度に設定された場合には前記第２の双眼光束が入射されることにより、前記第２の双眼光束に基づく第２の双眼用の光学像を形成し、前記第２のハウジングが前記第２の回転角度に設定された場合には前記第３の双眼光束が入射されることにより、前記第３の双眼光束に基づく第２の双眼用の光学像を形成する第２の双眼接眼光学系と、を備えたことを特徴とする顕微鏡。
【手続補正４】
【補正対象書類名】明細書
【補正対象項目名】０１２４
【補正方法】変更
【補正の内容】
【０１２４】
２．付記１の顕微鏡であって、前記分割光学系は、前記第１の双眼光束が入射されることにより、透過して前記第１の双眼接眼光学系に導光する第１の分割光学系と、反射して前記瞳分割光学系側に導光する第２の分割光学系とを形成する。
３．付記１の顕微鏡であって、前記第２の双眼光束及び前記第３の双眼光束が前記第１のハウジングの前記開口から射出される時、前記対物光学系、前記分割光学系及び前記瞳分割光学系の配置に基づいて前記第２の双眼光束及び前記第３の双眼光束は前記第２のハウジングの前記回転軸から略等距離の位置を通過する。


【手続補正５】
【補正対象書類名】明細書
【補正対象項目名】０１２５
【補正方法】変更
【補正の内容】
【０１２５】
４．付記１の顕微鏡であって、前記第１のハウジングは、前記対物光学系を保持する対物ハウジング、前記分割光学系及び前記瞳分割光学系を保持する中間鏡筒ハウジング、及び前記第１の接眼光学系を保持する接眼鏡筒ハウジングを有する。
５．付記４の顕微鏡であって、前記中間鏡筒ハウジングは前記開口を有している。


【手続補正６】
【補正対象書類名】明細書
【補正対象項目名】０１２６
【補正方法】変更
【補正の内容】
【０１２６】
６．付記１の顕微鏡であって、前記第２のハウジングが前記第１の回転角度に設定された状態では前記第２の双眼接眼光学系が前記第１の双眼接眼光学系に対向する方位となり、この状態では前記第１の双眼光束に等価な前記第２の双眼光束を前記開口を経て前記第２の双眼接眼光学系に導光し、かつ前記第２のハウジングが前記第２の回転角度に設定された状態では前記第２の双眼接眼光学系が前記第１の双眼接眼光学系の側方となる方位となり、この状態では前記第３の双眼光束を前記開口を経て前記第２の双眼接眼光学系に導光する。
７．付記１の顕微鏡であって、前記第２のハウジングは前記第１のハウジングに対して前記開口から射出される前記第２の双眼光束の進行方向に平行な軸を中心軸として回転自在に取り付けられる。


【手続補正７】
【補正対象書類名】明細書
【補正対象項目名】０１２７
【補正方法】変更
【補正の内容】
【０１２７】
８．付記７の顕微鏡であって、さらに前記瞳分割光学系を保持する第３のハウジング；このハウジングは前記第２のハウジングの回転軸と同軸で回転可能に前記第１のハウジング内に配置されており、かつ、
前記第２のハウジングと前記３のハウジングとを連結する連結部材；この連結部材は前記第２のハウジングの回転力を前記第３のハウジングに伝達し、前記第３のハウジングを前記第２のハウジングの回転に連動させて回転させる。
９．付記１の顕微鏡であって、前記第２のハウジングは前記第１のハウジングに対して前記開口に着脱可能に取付けられる。


【手続補正８】
【補正対象書類名】明細書
【補正対象項目名】０１２８
【補正方法】変更
【補正の内容】
【０１２８】
１０．付記１の顕微鏡であって、前記第２のハウジングを前記第１の回転角度と前記第２の回転角度に位置決めする位置決め手段を有する。
１１．付記１の顕微鏡であって、前記瞳分割光学系は、前記第２の双眼光束における各一方の光束をそれぞれ分割して、２組の第３の双眼光束を形成する。
１２．付記１の顕微鏡であって、前記瞳分割光学系は一対の３角プリズムで形成される。


【手続補正９】
【補正対象書類名】明細書
【補正対象項目名】０１２９
【補正方法】変更
【補正の内容】
【０１２９】
１３．付記１の顕微鏡であって、前記分割光学系は、前記第２の双眼光束の一方の光路上に配置される分割プリズム（この分割プリズムは前記第２の双眼光束の一方を透過光束と反射光束に分割する）と、
光束ガイド光学系（この光束ガイド光学系は、前記反射光束または前記反射光束の一方を前記瞳分割光学系に導光する、他方を前記開口に導く）とから構成される。


【手続補正１０】
【補正対象書類名】明細書
【補正対象項目名】０１３０
【補正方法】変更
【補正の内容】
【０１３０】
１４．付記１の顕微鏡であって、前記分割光学系は、前記第１の双眼光束の一方の光路上に配置される第１の分割プリズム及び第２の分割プリズム（前記第１の分割プリズムは前記第１の双眼光束の一方を第１の透過光束と第１の反射光束とに分割する、前記第１の反射光束は前記瞳分割光学系に導光される、前記第１の透過光束は前記第２の分割プリズムに入射して前記第２の分割プリズムにより第２の透過光束と第２の反射光束とに分割される、前記第２の透過光束は前記第１の双眼光束の一方を形成し、前記第２の反射光束は前記第２の双眼光束の一方を形成する）で構成される。


【手続補正１１】
【補正対象書類名】明細書
【補正対象項目名】０１３１
【補正方法】変更
【補正の内容】
【０１３１】
１５．被検体からの光束を集光する対物レンズ及び該対物レンズに対向して配置された一対のリレーレンズを含み、前記対物レンズに入射する光束に基づいて第１の双眼光束を生成する対物光学系と、
前記対物光学系の入射瞳と略共役な瞳位置に配置され、前記瞳位置で前記第１の双眼光束の少なくとも一方の光束を分割して、第２の双眼光束を生成する瞳分割光学系と、
前記第１の双眼光束又は前記第２の双眼光束に基づき、双眼観察用の光学像を生成する双眼接眼光学系と、
前記第１の双眼光束及び前記第２の双眼光束が前記双眼接眼光学系へ入射する位置で、前記第１の双眼光束及び前記第２の双眼光束の進行方向が前記対物レンズの光軸に対して平行で、かつ前記第１の双眼光束及び前記第２の双眼光束が略同一円周上に位置するように、前記対物光学系及び前記瞳分割光学系が配置されるハウジングと、を備えることを特徴とする顕微鏡。
【手続補正１２】
【補正対象書類名】明細書
【補正対象項目名】０１３２
【補正方法】変更
【補正の内容】
【０１３２】
１６．付記１５の顕微鏡であって、前記双眼光学系は第１の双眼光学系であり、顕微鏡 はさらに第２の双眼接眼光学系（この第２の双眼接眼光学系は前記ハウジングに設けられ、前記第１の双眼光束が入射する）を有する。
１７．付記１５の顕微鏡であって、さらに分割光学系（この分割光学系は前記ハウジングに設けられ、前記第１の双眼光束が入射されることにより、前記第１の双眼光束を分割して、第２の双眼接眼光学系に導光すると共に、前記瞳分割光学系にも導光する）を有する。


【手続補正１３】
【補正対象書類名】明細書
【補正対象項目名】０１３３
【補正方法】変更
【補正の内容】
【０１３３】
１８．付記１５の顕微鏡であって、前記ハウジングは、前記第１の双眼光束及び前記第２の双眼光束が略同一円周上に位置する軸を回転中心として前記双眼接眼光学系を異なる方向から着脱可能としている。
１９．付記１５の顕微鏡であって、前記ハウジングは、前記第１の双眼光束及び前記第２の双眼光束が略同一円周上に位置する軸を回転中心として前記双眼接眼光学系を回動自在である。


【手続補正１４】
【補正対象書類名】明細書
【補正対象項目名】０１３４
【補正方法】変更
【補正の内容】
【０１３４】
２０．付記１５の顕微鏡であって、前記ハウジングは、前記対物光学系と、前記双眼接眼光学系と、前記瞳分割光学系を含む２つの双眼光束を出射する光学系とをそれぞれ別体の第１、第２、第３ハウジングに収納すると共に、前記第１、第２、第３ハウジングが相互に着脱自在である。
２１．付記１５の顕微鏡であって、前記一対のリレーレンズにより作られる第１の双眼光束の片側の光束は、前記瞳分割光学系により作られる第２の双眼光束と共用となる。


【手続補正１５】
【補正対象書類名】明細書
【補正対象項目名】０１３５
【補正方法】変更
【補正の内容】
【０１３５】
２２．付記１５の顕微鏡であって、前記瞳分割光学系と、前記瞳分割光学系による双眼光束が入射される前記双眼接眼光学系とが回転中心を同一にして一体的に回動する。
２３．付記１５の顕微鏡であって、前記瞳分割光学系と前記双眼光束が入射する前記双眼接眼光学系との間に、前記一対のリレーレンズにより作られる第１の双眼光束を前記瞳分割光学系から出射される第２の双眼光束と平行になるように指向させる光学反射部材が配置される。